(57)【要約】【課題】  長さが適合しないセパレータでも極めて容易に連結できるとともに、所要の保持強度を確保できる埋め込みインサートを提供する。【解決手段】  セパレータを保持するセパレータ保持部材２と、このセパレータ保持部材を保持するとともに、コンクリート型枠パネルに取り付けられる樹脂製ハウジング３とを備えて構成される埋め込みインサート１であって、上記セパレータ保持部材は、上記セパレータを通挿できる保持穴４と、この保持穴に通挿されたセパレータを上記保持穴の内周部との間で挟圧固定するねじ手段５，６とを備える一方、上記樹脂製ハウジングは、上記セパレータ保持部材を保持する保持部と、上記型枠パネルに固定するためのハウジング固定手段９とを備えて構成される。【選択図】  図３
2004245029.tif 000002
【特許請求の範囲】
【請求項１】
セパレータを保持するセパレータ保持部材と、このセパレータ保持部材を保持するとともに、コンクリート型枠パネルに取り付けられる樹脂製ハウジングとを備えて構成される埋め込みインサートであって、
上記セパレータ保持部材は、上記セパレータを通挿できる保持穴と、この保持穴に通挿されたセパレータを上記保持穴の内周部との間で挟圧固定するねじ手段とを備える一方、
上記樹脂製ハウジングは、上記セパレータ保持部材を保持する保持部と、上記型枠パネルに固定するためのハウジング固定手段とを備える、埋め込みインサート。
【請求項２】
上記樹脂製ハウジングは、上記セパレータ保持部材を内部に収容保持するとともに、上記保持穴に連通する通挿穴を備えて構成されている、請求項１に記載の埋め込みインサート。
【請求項３】
上記ねじ手段は、上記セパレータ保持部材に形成されたねじ穴と、このねじ穴に螺合されて上記セパレータを押圧する雄ねじ部材とを備えて構成されている、請求項１又は請求項２のいずれかに記載の埋め込みインサート。
【請求項４】
上記ねじ手段は、上記セパレータ保持部材及び／又は上記樹脂製ハウジングに回転不可能かつ軸方向移動不可能に保持される雌ねじ部材と、この雌ねじ部材に螺合されて上記セパレータを押圧する雄ねじ部材とを備えて構成されている、請求項１又は請求項２のいずれかに記載の埋め込みインサート。
【請求項５】
上記セパレータ保持部材は、上記保持穴とこれに連通する上記ねじ穴とを備えるブロック体から形成されている、請求項１から請求項４のいずれかに記載の埋め込みインサート。
【請求項６】
上記セパレータ保持部材は、板状材料を曲折して一対の対向部とこれら対向部をつなぐ連結部とを有する略コ字状に形成されており、
上記対向部に上記保持穴をそれぞれ形成するとともに、上記連結部に上記ねじ手段を設けた、請求項１から請求項４のいずれかに記載の埋め込みインサート。
【請求項７】
上記保持穴内周部に、上記ねじ手段で上記セパレータを挟圧したとき、上記セパレータ外周部を変形させ、あるいはセパレータ外周部によって変形させられる１又は２以上の固定手段を設けた、請求項１から請求項６のいずれかに記載の埋め込みインサート。
【請求項８】
上記固定手段が、上記保持穴内周部に形成された突起状固定手段又は凹溝状固定手段である、請求項７に記載の埋め込みインサート。
【請求項９】
上記突起状固定手段は、上記セパレータの外形より大きな内径を有する雌ねじのねじ山を設けて構成されている、請求項７に記載の埋め込みインサート。
【請求項１０】
上記凹溝状固定手段は、上記セパレータの外周部に両側から係合して、セパレータを軸方向移動不可能に保持するように構成されている、請求項８に記載の埋め込みインサート。
【請求項１１】
上記雄ねじ部材の先端部に、上記セパレータの外周部に食い込む凸部を形成した、請求項２から請求項１０のいずれかに記載の埋め込みインサート。
【請求項１２】
上記凸部は、上記雄ねじ部材の先端中央部を窪ませて形成された環状凸部である、請求項１１に記載の埋め込みインサート。
【請求項１３】
上記凸部は、上記雄ねじ部材の先端中央部に設けた突起である、請求項１１に記載の埋め込みインサート。
【請求項１４】
上記ハウジングを、上記セパレータ保持部材を収容する収容部と、上記収容部に上記セパレータ保持部材を装着する開口部とを備えて構成し、
上記収容部に収容されたセパレータ保持部材の上記ねじ穴又は上記雌ねじ部材のねじ穴に通じる穴部を上記ハウジングに形成するとともに、この穴部を介して上記雄ねじ部材を上記ねじ穴に螺合させることにより、上記セパレータ保持部材が上記収容部から離脱するのを阻止するように構成した、請求項１から請求項１３のいずれかに記載の埋め込みインサート。
【請求項１５】
上記雄ねじ部材の頭部を、上記ハウジングの頭部に収容可能に形成した、請求項１から請求項１４のいずれかに記載の埋め込みインサート。
【請求項１６】
上記樹脂製ハウジングの上記通挿穴の開口端部を外側に向けてテーパ状に拡開するように形成した、請求項２から請求項１５のいずれかに記載の埋め込みインサート。
【請求項１７】
上記ハウジング固定手段は、型枠パネルに打ち込まれる釘を通挿できる貫通穴と、この貫通穴を囲むように形成されるとともに上記型枠パネルを離脱させたとき、上記釘とともに上記ハウジングから離脱する連結部とを備えて構成される、請求項１から請求項１６のいずれかに記載の埋め込みインサート。
【請求項１８】
上記型枠パネルを離脱させたとき、上記ハウジングから離脱する釘を一体的に備えて構成されている、請求項１から請求項１７のいずれかに記載の埋め込みインサート。
【請求項１９】
セパレータ保持部材を保持させた樹脂製ハンジングを型枠パネルに固定するとともに、上記セパレータ保持部材に形成した保持穴にセパレータを通挿し、このセパレータをねじ手段を用いて上記保持穴内周面との間で挟圧することにより上記セパレータを保持する、埋め込みインサートにおけるセパレータの保持方法。
【発明の詳細な説明】
【技術分野】
【０００１】
本願発明は、コンクリート工事において、型枠パネルを保持するセパレータを連結固定するための埋め込みインサートに関する。
【背景技術】
【０００２】
コンクリート工事において、型枠パネルを長尺状のボルト等を介して所定位置及び姿勢に保持するためにインサートが用いられる。特に、側面型枠パネルを固定するため、両端部に雄ねじが形成されたセパレータの一端部を上記側面型枠パネルに連結固定する一方、他端部を底面型枠パネル等にインサートを介して連結固定することが多い。
【特許文献１】実公平２−２７０４２号
【０００３】
上記特許文献１に記載されている埋め込みインサートは、上記セパレータの外周に形成された雄ねじ部と螺合可能な雌ねじ部を形成したナットと、このナットを埋め込み保持したハウジングと、上記ハウジングに埋め込み保持された釘とを備えて構成されている。
【０００４】
上記セパレータは、中間部を作業者の手指で回転させることにより、端部に形成した上記雄ねじ部を、上記埋め込みセパレータの雌ねじ部に螺合させ、所定位置に側面型枠パネルを保持できるように構成されている。
【０００５】
上記公報に記載された埋め込みインサートは、コンクリートに埋め込まれる。一方、型枠パネルを解体する際に、上記ハウジングがコンクリート内に埋め込み状に保持される一方、上記釘が上記型枠パネルとともに、上記ハウジングから離脱するように構成されている。
【発明の開示】
【発明が解決しようとする課題】
【０００６】
上記セパレータの一端が取り付けられる型枠パネルと、他端部が連結される埋め込みインサートとの間の距離は一定ではない。このため、工事現場においては、複数種類の長さのセパレータが用意されており、型枠の寸法等に応じて適宜選択使用される。
【０００７】
ところが、上記複数種類のセパレータが、保持すべき上記型枠パネルと上記埋め込みインサートとの間の距離に適合するとは限らない。このため、連結保持する型枠パネルと上記埋め込みインサートとの間の距離に比べて、かなり長いセパレータを用いなければならない場合も多い。上記セパレータは、作業者が回転させながら距離を調節して上記埋め込みインサートに連結固定されるため、セパレータの長さが長すぎる場合には、所定位置まで螺進させるための回転数が多くなり、上記セパレータの取り付け作業が極めて面倒になる。
【０００８】
一方、種々の長さのセパレータを用意する場合には、これらセパレータの管理が面倒になる。また、現場合わせでセパレータを選択することが多いため、使用するセパレータの数量を予測することは困難である。このため、使用しないセパレータも準備することになり、多くの無駄が発生することになる。
【０００９】
本願発明は、上述した問題を解決するために考え出されたものであって、長さが適合しないセパレータでも極めて容易に連結できるとともに、所要の保持強度を確保できる埋め込みインサートを提供するものである。
【課題を解決するための手段】
【００１０】
上記課題を解決するため、本願発明では、次の技術的手段を講じている。
【００１１】
本願発明は、セパレータを保持するセパレータ保持部材と、このセパレータ保持部材を保持するとともに、コンクリート型枠パネルに取り付けられる樹脂製ハウジングとを備えて構成される埋め込みインサートであって、上記セパレータ保持部材は、上記セパレータを通挿できる保持穴と、この保持穴に通挿されたセパレータを上記保持穴の内周部との間で挟圧固定するねじ手段とを備える一方、上記樹脂製ハウジングは、上記セパレータ保持部材を保持する保持部と、上記型枠パネルに固定するためのハウジング固定手段とを備えて構成される。
【００１２】
本願発明に係る埋め込みインサートは、セパレータに設けた雄ねじを埋め込みインサートに設けた雌ねじに螺合させて連結するのではなく、上記セパレータ保持部材の保持穴に通挿されたセパレータを上記保持穴の内周部との間で挟圧固定するものである。
【００１３】
上記セパレータ保持部材は、保持強度を高めるために、鉄等の金属材料で形成するのが好ましい。上記セパレータ保持部材の形態は特に限定されることはなく、セパレータの保持強度を確保できるとともに、上記保持穴と、上記ねじ手段とを設けることができるものであればよい。
【００１４】
上記セパレータ保持部材は、上記樹脂製ハウジングを介して型枠パネルに固定される。上記セパレータ保持部材が上記樹脂製ハウジングに保持される形態は限定されることはない。たとえば、請求項２に記載した発明のように、上記セパレータ保持部材を内部に収容保持するとともに、上記保持穴に連通する通挿穴を設けて、上記樹脂製ハウジングを形成することができる。また、樹脂製ハウジングの外周部に嵌着あるいは被着するように構成することもできる。
【００１５】
請求項３に記載した発明のように、上記ねじ手段を、上記セパレータ保持部材に形成されたねじ穴と、このねじ穴に螺合されて上記セパレータを押圧する雄ねじ部材とを備えて構成することができる。
【００１６】
一方、請求項４に記載した発明のように、上記ねじ手段を、上記セパレータ保持部材及び／又は上記樹脂製ハウジングに回転不可能かつ軸方向移動不可能に保持される雌ねじ部材と、この雌ねじ部材に螺合されて上記セパレータを押圧する雄ねじ部材とを備えて構成することができる。たとえば、ナット等の雌ねじ部材を上記セパレータ保持部材及び／又は上記樹脂製ハウジングに固定的に設け、上記雄ねじ部材を螺合させて構成するものである。上記雄ねじ部材が保持穴に通挿された上記セパレータを挟圧できるように、上記ナット等の雌ねじ部材は、回転不可能かつ軸方向移動不可能に保持される。上記雌ねじ部材の保持形態は、特に限定されることはなく、上記セパレータ保持部材又は樹脂製ハウジングの一方のみに保持することもできるし、双方を用いて保持するように構成することもできる。また、上記雌ねじ部材を着脱可能に保持することもできるし、溶接等により上記セパレータ保持部材に対して着脱不可能に保持することもできる。
【００１７】
請求項５に記載した発明のように、上記セパレータ保持部材を、上記保持穴とこれに連通する上記ねじ穴とを備えるブロック体から形成することができる。上記ブロック体の形態は、上記樹脂製ハウジングに収容できる形態であればよい。たとえば、直方体状のブロックや円柱状の金属ブロックを利用して、上記セパレータ保持部材を形成することができる。また、長尺状の六角ナットをセパレータ保持部材として採用し、これに軸方向に直交するねじ穴を形成してセパレータ保持部材を形成することもできる。
【００１８】
また、請求項６に記載した発明のように、上記セパレータ保持部材を、板状材料を曲折して一対の対向部とこれら対向部をつなぐ連結部とを有する略コ字状に形成し、上記対向部に上記保持穴をそれぞれ形成するとともに、上記連結部に上記ねじ手段を設けて構成することができる。板状材料を利用して上記セパレータ保持部材を形成することにより、装置の小型化、軽量化を図ることができるとともに、セパレータ保持部材を安価に製作することができる。
【００１９】
この場合、上記ねじ手段は、上記連結部に上記ねじ穴を直接形成してボルト等を螺合させることもできるし、ナット等の雌ネジ部材をボルト通挿穴を設けた上記連結部に溶接することにより形成することもできる。また、上記一対の対向部と上記連結部の間に、ナット等の雌ねじ部材を回転不可能かつ軸方向移動不可能に保持して、上記ねじ手段を構成することもできる。
【００２０】
上記保持穴の内径は、少なくとも上記セパレータの外形より大きく設定され、セパレータを容易に通挿できるように構成される。これにより、上記セパレータを所望の位置まで容易に通挿することができる。また、上記ねじ手段を利用してセパレータを挟圧することにより固定できるため、セパレータを所望の位置で容易に保持することが可能となる。また、セパレータを、雄ねじが形成されていない部分においても埋め込みインサートに保持することが可能となる。また、端部に雄ねじが形成されていない溶接用のセパレータに適用することも可能となる。このため、従来の埋め込みインサートに比べて適用範囲が大幅に拡大される。
【００２１】
さらに、一つの寸法のセパレータの使用可能範囲が広がり、用意するセパレータの種類を削減することも可能となり、管理が容易になるとともに、セパレータの無駄を大幅に削減することができる。
【００２２】
上記セパレータと上記埋め込みインサートには、コンクリートを打設した型枠パネルを保持する保持強度が要求される。上記保持強度を確保するため、請求項７に記載した発明のように、上記保持穴内周部に、上記ねじ手段で上記セパレータを挟圧したとき、上記セパレータ外周部を変形させ、あるいはセパレータ外周部によって変形させられる１又は２以上の固定手段を設けることができる。
項６のいずれかに記載の埋め込みインサート。
【００２３】
上記固定手段の形態は限定されることはなく、請求項８に記載した発明のように、上記固定手段として、上記保持穴内周部に形成された突起状固定手段又は凹溝状固定手段を設けることができる。
【００２４】
上記ねじ手段によって、上記セパレータが上記突起状固定手段又は凹溝状固定手段に向かって押圧されると、上記固定手段あるいは上記セパレータの外周部が変形させられながら挟圧され、上記インサートの引き抜き強度が大幅に高まり、型枠パネルを高い強度で保持することができる。
【００２５】
上記突起状固定手段の形態は特に限定されることはなく、たとえば、複数の突部あるいは凸状を保持穴の内周部に形成することができる。また、請求項９に記載した発明のように、上記突起状固定手段として、上記セパレータの外形より大きな内径を有する雌ねじのねじ山を設けて構成することができる。セパレータをねじ山に向かって押圧することにより、上記ねじ山がセパレータの側面に食い込み、あるいは上記ねじ山が潰されるように塑性変形させられた状態で保持されることにより、保持強度を高めることができる。また、外周部に雄ねじが形成されたセパレータを保持する場合に、上記突起状固定手段としてピッチを上記セパレータに形成された雄ねじのピッチに合わせた雌ねじを採用すると、上記雄ねじと雌ねじの一部を噛み合わせるように保持することが可能となり、保持強度を格段に高めることができる。
【００２６】
請求項１０に記載した発明のように、上記凹溝状固定手段を、上記セパレータの外周部に両側から係合して、セパレータを軸方向移動不可能に保持するように構成することができる。たとえば、セパレータの外周部より小さい幅を有する凹溝を形成し、挟圧操作によって上記セパレータを上記凹溝に押しつけると、上記セパレータのの外周部が上記凹溝の縁部ないし側部と係合していずれかが変形させられた状態で保持される。これにより、引き抜き強度を大幅に高めることができる。
【００２７】
請求項１１に記載した発明は、上記雄ねじ部材の先端部に、上記セパレータの外周部に食い込む凸部を形成したものである。
【００２８】
上記凸部の形態は、特に限定されることはないが、雄ねじ部材は回転しながら上記セパレータの外周部を押圧するように構成されているため、回転しながら上記セパレータの外周部に食い込む形状を採用するのが好ましい。
【００２９】
たとえば、請求項１２に記載した発明のように、上記凸部を、雄ねじ部材の先端中央部を窪ませることにより形成した環状凸部から構成することができる。また、請求項１３に記載した発明のように、上記凸部を、雄ねじ部材の先端中央部に円錐等の形態の突起を設けて構成することもできる。
【００３０】
上記保持穴に形成した固定手段及び上記雄ねじ部材に形成した凸部は、上記セパレータの外周部より硬度が大きくなるように設定するのが望ましい。たとえば、雄ねじ部材先端部に形成した凸部に焼き入れ加工等を施して硬度を高めることができる。
【００３１】
本願発明に係る上記セパレータ保持部材は、インサート成形等により上記樹脂ハウジングと一体的に設けることもできるし、別途形成した後に樹脂ハンジングと組み付けることもできる。
【００３２】
請求項１４に記載した発明は、上記ハウジングを、上記セパレータ保持部材を収容する収容部と、上記収容部に上記セパレータ保持部材を装着する開口部とを備えて構成し、上記収容部に収容されたセパレータ保持部材の上記ねじ穴又は上記雌ねじ部材のねじ穴に通じる穴部を上記ハウジングに形成するとともに、この穴部を介して上記雄ねじ部材を上記ねじ穴に螺合させることにより、上記セパレータ保持部材が上記収容部から離脱するのを阻止するように構成したものである。
【００３３】
セパレータ保持部材をインサート成形によって樹脂ハンジング内部に一体的に設ける場合、金型等が複雑になって、製造コストが大きくなる場合がある。また、セパレータ保持部材をハウジングの所定位置に精度高く位置決めするのが困難な場合もある。
【００３４】
一方、ハウジング成形後にセパレータ保持部材を組み付ける場合、セパレータ保持部材と樹脂製ハウジングとを離脱しないように連結固定しなければならない。また、セパレータに対する連結強度を確保できるように構成する必要もある。
【００３５】
請求項１４に記載した発明では、雄ねじ部材を利用して上記セパレータ保持部材を上記樹脂ハウジングに離脱不可能に装着できる。このため、上記収容部と上記セパレータ保持部材との間に多少のがたがあっても、上記セパレータ保持部材と上記ハンジングとを確実に一体化することができる。また、ハウジング形成後に上記セパレータ保持部材を装着できるため、ハウジングの製造コストを大幅に削減することが可能となる。
【００３６】
本願の請求項１５に記載した発明は、上記雄ねじ部材の頭部を、上記ハウジングの頭部に収容可能に形成したものである。
【００３７】
本願発明に係る埋め込みインサートは、型枠パネルに釘を用いて取り付けられる。このため、ハンマー等で上記釘を打ちつけなければならない。埋め込みインサートの形態によっては、上記釘を打ちつける際に、上記雄ねじ部材の頭部が邪魔になることがある。本願発明は、上記不都合を回避するものである。なお、雄ねじ部材の頭部は、釘を打ちつけるのに邪魔にならない程度に、その一部又は全部を収容できればよい。一部をハウジングの頭部から突出させてもよい場合には、通常の六角ボルト状の雄ねじ部材を採用できる。一方、雄ねじ部材の頭部を全部収容する場合は、六角穴付の頭部を持つボルト等を採用することができる。
【００３８】
また、釘付きの埋め込みインサートの場合は、上記ハウジングの頭部と上記雄ねじ部材の頭部の高さとを同一に設定して、ハンマー等で打ち込み易く構成するのが望ましい。また、上記雄ねじ部材の頭部の面積を大きく設定して、この頭部をハンマー等で叩いて釘を打ち込むように形成することもできる。
【００３９】
本願の請求項１６に記載した発明は、上記樹脂製ハウジングの上記通挿穴の開口端部を外側に向けてテーパ状に拡開するように形成したものである。
【００４０】
本願発明では、セパレータを埋め込みインサートに連結する場合に、セパレータを回転させる必要がなく、インサートの入口から通挿穴及び保持穴に直接挿入すればよい。したがって、上記通挿穴の入口にテーパ部を設けることにより、セパレータの挿入作業が容易になり作業性が大幅に向上する。
【００４１】
請求項１７に記載した発明は、上記ハウジング固定手段を、型枠パネルに打ち込まれる釘を通挿できる貫通穴と、この貫通穴を囲むように形成されるとともに上記型枠パネルを離脱させたとき、上記釘とともに上記ハウジングから離脱する連結部とを備えて構成したものである。
【００４２】
請求項１８に記載した発明は、上記型枠パネルを離脱させたとき、上記ハウジングから離脱する釘を一体的に備えて構成したものである。
【００４３】
請求項１９に記載した発明は、セパレータ保持部材を保持させた樹脂製ハンジングを型枠パネルに固定するとともに、上記セパレータ保持部材に形成した保持穴にセパレータを通挿し、このセパレータをねじ手段を用いて上記保持穴内周面との間で挟圧することにより上記セパレータを保持する、埋め込みインサートにおけるセパレータの保持方法に関するものである。
【発明を実施するための最良の形態】
【００４４】
以下、本願発明の実施の形態を図に基づいて具体的に説明する。
【００４５】
図１から図８に本願発明の第１の実施の形態を示す。
【００４６】
これらの図に示すように、埋め込みインサート１は、鉄で形成されたセパレータ保持部材２と、このセパレータ保持部材２をインサート成形して形成される樹脂製ハウジング３とを備えて構成される。
【００４７】
図３及び図４に示すように、上記セパレータ保持部材２は、軸方向の保持穴を備える六角ボルト状の外観を備え、側壁部に半径方向に向かうねじ穴５が形成されている。そして、上記ねじ穴５に雄ねじ部材６が螺合されている。本実施の形態では、上記雄ねじ部材６として、六角穴付ボルトが採用されている。また、上記セパレータ保持部材２の内周面には、断面三角形状の環状突起７が一対形成されている。
【００４８】
上記雄ねじ部材６の先端縁部にも、環状の凸部８が形成されている。本実施の形態では、上記雄ねじ部材の先端面の中央部を凹状に形成することにより、ねじ部の先端縁部に沿う上記環状凸部８が形成されている。
【００４９】
上記樹脂製ハウジング３には、型枠パネルに打ちつけられる釘９が、４隅に一体的に設けられている。上記釘９は、上記樹脂製ハウンジング３の上面１０をハンマー等で打ちつけることにより型枠パネル等に食い込んで、上記埋め込みインサート１を固定できる一方、型枠パネルを解体する場合には、上記型枠パネルに付随して上記樹脂製ハウジングから抜け出るように設けられている。
【００５０】
上記樹脂製ハウジング３は、上記セパレータ保持部材２の上記雄ねじ部材６を装着する部分以外の外周部を被覆するように設けられている。上記雄ねじ部材６を装着する部分は、穴部１１が形成されており、実施の形態では、雄ねじ部材６をいっぱいに締め込んだときに、上記雄ねじ部材６の頭部１２と、ハウジング３の上面１０とが、ほぼ同じ高さになるように設定している。
【００５１】
上記樹脂製ハウジング３の両側部には、上記保持部材２の保持穴４に連通する通挿穴１３，１３が形成されている。上記通挿穴１３の開口端部には外側に向かって拡開するテーパ部１４が形成されている。
【００５２】
図６から図８に、上記埋め込みインサート１の取り付け方法を示す。図６に示すように、埋め込みインサート１は、頭部をハンマー１５で打ちつけることにより、型枠パネル１６等に固定される。
【００５３】
本実施の形態では、図６に示すように、上記雄ねじ部材６をいっぱいに締め込んだ状態では、上記雄ねじ部材６の頭部１２と、ハウジング３の上面１０とがほぼ面一になっている。このため、ハンマー１５でインサート１の頭部を叩く場合に、上記雄ねじ部材６が邪魔になることがなく、型枠パネル１６に容易に取り付けることができる。
【００５４】
図７に示すように、六角レンチ１７等で雄ねじ部材６を緩めてセパレータ１８を所定位置まで通挿し、その後、上記雄ねじ部材６を締めつける。このとき、上記保持部材２の保持穴４に形成した一対の環状突起７，７と、上記雄ねじ部材６の先端部に形成した環状凸部８とが、セパレータ１８の側面に食い込んで、セパレータ１８を所定の位置に確実に固定することができる。
【００５５】
その後、図８に示すように、型枠内にコンクリート１９が流しこまれて、上記セパレータ１８が本願発明に係る埋め込みインサートとともに埋め込まれる。なお、図示はしないが、上記釘９は、上記型枠パネル１６を取り外したとき、上記型枠パネル１６に付随して、上記ハウジング３から抜け出るように構成されている。
【００５６】
図９から図１２に、本願発明の第２の実施の形態を示す。
【００５７】
本実施の形態に係る埋め込みインサート２０１は、保持部材２０２を内周ねじを備える汎用の六角ナットを利用して形成するとともに、雄ねじ部材２０６も六角柱の頭部を備える汎用ボルトを利用して構成している。
【００５８】
上記保持部材２０２として、セパレータの雄ねじ部の外径より大きな内径を備える六角ナットを採用している。上記保持穴２０４の内周面には、雌ねじが形成されており、この雌ねじのねじ山の凸部２０７が第１の実施の形態の凸部７に対応する。一方、上記雄ねじ部材２０６の先端部には、中央部が尖った円錐状の凸部２０８が形成されている。
【００５９】
上記雄ねじ部材を２０６をセパレータに対して締め付けることにより、上記ねじ山凸部２０７及び上記円錐状凸部２０８がセパレータの外面に食い込んで、セパレータを埋め込みインサート２０１に対して確実に固定する。
【００６０】
また、連結されるセパレータの外周に雄ねじが形成されている場合には、上記雄ねじのピッチと上記雌ねじのピッチとが合致するように設定することができる。この場合、上記雄ねじと上記雌ねじのねじ山同士が噛み合った状態で、上記セパレータと埋め混みインサートとが固定されるため、セパレータを確実に固定することができる。
【００６１】
図１２に示すように、第２の実施の形態では、ハウジング２０３の四隅に、釘を通挿できる貫通穴２２２と、型枠パネルを外したときに上記釘とともに上記ハウジングから離脱する連結片２２１とを備える連結部２０９を設けている。
【００６２】
上記連結片２２１は、円筒状に形成されており、軸方向の中間部に設定される環状の接続部２２３を介して上記ハウジング２０３に一体形成されている。上記連結片２２１は、大部分が筒状のスリット２２４を介して、上記ハウジング２０３から離間して成形されている。このため、上記貫通穴２２２を介して型枠パネルに打ち付けた釘から軸方向に大きな力が作用した場合には、上記連続部２２３が破壊されて、上記連結片２２１が釘とともに上記ハウジング２０３から離脱させられる。これにより、インサートを取り付けた型枠パネルを、上記釘とともに容易に取り外すことができる。また、釘の処理を容易に行うこともできる。
【００６３】
図１３から図１８に、本願発明の第３の実施の形態を示す。
【００６４】
本実施の形態は、保持部材３０２を、ハウジング３０３の成形後に組み付けることができるように構成したものである。
【００６５】
図１３及び図１４に示すように、本実施の形態に係る埋め込みインサート３０１のハウジング３０３は、釘３０９をインサート成形した連結部３０３ａと、保持部材３０２を装着できる保持部３０３ｂとを備えて構成されている。
【００６６】
上記連結部３０３ａには、第１の実施の形態と同様に釘３０９が設けられており、連結部３０３ａの頭部を叩くことにより、上記釘３０９を型枠パネルに打ち付けることができるように構成されている。
【００６７】
図１６に示すように、上記保持部３０３ｂには、上記セパレータ保持部材３０２を収容する収容部３２１が形成されている。上記収容部３２１は、側面に開口部３２３が形成されており、この開口部３２３から直方体状の金属製セパレータ保持部材３０２が上記収容部３２１に収容される。
【００６８】
上記保持部材３０２には、内部に保持穴３０４が形成されるとともに、上面から上記保持穴３０４に連通するねじ穴３０５が形成されている。一方、上記保持部３０３ｂの上壁部には、上記セパレータ保持部材３０２を収容部３２１に収容したとき、上記ねじ穴３０５に連通する穴部３２２が形成されている。
【００６９】
図１８に示すように、上記保持部材３０２を、上記開口部３２３を介して上記収容部３２１に収容する。その後、上記雄ねじ部材３０６を、上記穴部３２２を介して、上記ねじ穴３０５に螺合させる。これにより、上記保持部材３０２が、上記ハウジング３０３に装着される。
【００７０】
上記雄ねじ部材３０６が、上記ハウジング３０３に形成された穴部３２２を介して上記保持部材３０２のねじ穴３０５に螺合されるため、上記保持部材３０２が、上記収容部３２１から外れる恐れはない。
【００７１】
上記構成によって、ハウジング３０３を成形した後に、上記保持部材を３０２を組み付けることが可能となる。これにより、製造コストを大幅に削減することができる。
【００７２】
図１９から図２６に本願発明の第４の実施の形態を示す。
【００７３】
図１９から図２１に示すように、第４の実施の形態に係るインサート４０１は、セパレータ保持部材４０２と、このセパレータ保持部材４０２を保持するとともに、コンクリート型枠パネルに取り付けられる樹脂製ハウジング４０３と、上記セパレータ保持部材４０２に通挿されるセパータを上記セパレータ保持部材に挟圧保持するナット４０５及びボルト４０６とを備えて構成される。
【００７４】
上記樹脂製ハウジング４０２は樹脂で一体成形されており、上記セパレータ保持材４０２と上記ナット４０５とを収容保持できる収容穴４２１と、内部に収容した上記セパレータ保持部材４０２にセパレータを通挿する通挿穴４１３と、型枠パネルに連結される連結部４０９とを備えて構成されている。
【００７５】
上記セパレータ保持部材４０２は、板状の金属材料を曲折させることにより、一対の対向部４５１，４５１とこれら対向部をつなぐ連結部４５２とを有する略コ字状に形成されている。上記対向部４５１，４５１には、上記セパレータを保持する保持穴４０４，４０４がそれぞれ形成されているとともに、上記連結部４５２に上記ボルト４０６を通挿するボルト通挿穴４５３が形成されている。
【００７６】
また、上記保持穴４０４，４０４の下方縁部には、これに通挿したセパレータが抜け出すのを防止する凹溝状の固定手段４０７が形成されている。
【００７７】
上記収容穴４２１は、上記ナット４０５を収容保持できるナット収容部４５４と、上記略コ字状のセパレータ保持部材４０２を収容できる保持部材収容部４５５とが一体的に形成されている。本実施の形態では、上記ナット４０５は、上記セパレータ保持部材４０２の一対の対向部４５１，４５１に挟まれることにより回転が阻止されるとともに、上記ナット収容部４５４と上記保持部材４０２の連結部４５２によって軸方向動が阻止されるように構成されている。
【００７８】
上記構成の埋め込みインサート４０１の作用効果を、図２２から図２６に基づいて説明する。
【００７９】
図２２及び図２３に示すように、上記埋め込みインサート４０１は、型枠パネル４１６に４本の釘４５９によって取付られる。上記釘４５９が打ち込まれる連結部４０９は、図１２に示す第２の実施の形態に係る連結部２０９と同様であるので説明は省略する。
【００８０】
上記インサート４０１を上記型枠パネル４１６に取付けた後に、上記通挿穴４１３及び保持穴４０４，４０４に通挿されたセパレータ４１８は、図２４及び図２５に示すように、上記ボルト４０６と上記保持穴４５１，４５１の縁部との間で挟圧されるようにして保持される。
【００８１】
図２６に示すように、上記ボルト４０６の先端面には、中央部を窪ませるようにして環状突起４０８が形成されており、上記ボルト４０６を締めつけることにより、上記環状突起４０８が上記セパレータ４１８の上部外周に食い込むように構成されている。なお、上記ボルト４０６の先端部には、焼き入れ加工が施されており、上記セパレータ４１８より硬度が高く設定されている。
【００８２】
一方、上記固定手段を構成する凹溝４０７は、幅が上記セパレータ４１８の外径より小さく設定されている。このため、上記ボルト４０６を締めつけて上記セパレータ４１８を上記凹溝４０７に押しつけると、上記凹溝４０７の角部が上記セパレータ４１８のの外周部に食い込む。
【００８３】
上記ボルト４０６の環状突起４０８と、上記凹溝４０７を設けることにより、上記セパレータ４１８を上記セパレータ保持部材４０２に確実に保持することができる。
【００８４】
本願発明は、上述の実施の形態に限定されることはない。実施の形態では、六角ナット状あるいは直方体状の保持部材を採用したが、円柱状等他の形状の保持部材を採用することもできる。
【００８５】
また、樹脂製ハウンジングに、セパレータを通挿する通挿穴を形成したが、セパレータ保持部材の上記保持穴近傍を露出させるように構成することもできる。
【００８６】
また、第３の実施の形態では、セパレータ保持部材をハウジングの側部から収容部に装着するように構成したが、ハウジングの軸方向端面から収容部に装着するように構成することもできる。
【００８７】
また、実施の形態では、セパレータ保持部材の内周面に凸部を形成したが、外周部に所定間隔で凸部を形成したセパレータを本願発明に係る埋め込みインサート専用のものとして採用することもできる。
【図面の簡単な説明】
【００８８】
【図１】本願発明に係る埋め込みインサートの第１の実施の形態を示す全体斜視図である。
【図２】図１に示す埋め込みインサートの平面図である。
【図３】図２における III−III 線に沿う断面図である。
【図４】図２におけるIV−IV線に沿う断面図である。
【図５】図２における V−V 線に沿う断面図である。
【図６】図１に示す埋め込みインサートの取り付け方法を示す説明図である。
【図７】図１に示す埋め込みインサートの取り付け方法を示す説明図である。
【図８】図１に示す埋め込みインサートの取り付け方法を示す説明図である。
【図９】本願発明に係る埋め込みインサートの第２の実施の形態を示す全体斜視図である。
【図１０】図９における X−X 線に沿う断面図である。
【図１１】図９におけるXI−XI線に沿う断面図である。
【図１２】図９における XII−XII 線に沿う断面図である。
【図１３】本願発明に係る埋め込みインサートの第３の実施の形態を示す全体斜視図である。
【図１４】図１３に示す埋め込みインサートの平面図である。
【図１５】図１４におけるXV−XV線に沿う断面図である。
【図１６】図１４における XVI−XVI 線に沿う断面図である。
【図１７】図１４における XVII −XVII線に沿う断面図である。
【図１８】図１３に示す埋め込みインサートの分解斜視図である。
【図１９】本願発明に係る埋め込みインサートの第４の実施の形態を示す全体斜視図である。
【図２０】図１９に示す埋め込みインサートの平面図である。
【図２１】図１９に示す埋め込みインサートの分解斜視図である。
【図２２】図１９に示す埋め込みインサートの使用状態を示す斜視図である。
【図２３】図２２に示す XXIII−XXIII 線に沿う断面図である。
【図２４】図２２に示すXXIIII−XXIIII線に沿う断面図である。
【図２５】図２２に示す XXV−XXV 線に沿う断面図である。
【図２６】図２２に示すXXVI−XXVI線に沿う要部の断面図である。
【符号の説明】
【００８９】
２  セパレータ保持部材
３  樹脂製ハウジング
１  埋め込みインサートであって、
４  保持穴
５  ねじ手段
６  ねじ手段
９  ハウジング固定手段
【図１】
2004245029.tif 000003
【図２】
2004245029.tif 000004
【図３】
2004245029.tif 000005
【図４】
2004245029.tif 000006
【図５】
2004245029.tif 000007
【図６】
2004245029.tif 000008
【図７】
2004245029.tif 000009
【図８】
2004245029.tif 000010
【図９】
2004245029.tif 000011
【図１０】
2004245029.tif 000012
【図１１】
2004245029.tif 000013
【図１２】
2004245029.tif 000014
【図１３】
2004245029.tif 000015
【図１４】
2004245029.tif 000016
【図１５】
2004245029.tif 000017
【図１６】
2004245029.tif 000018
【図１７】
2004245029.tif 000019
【図１８】
2004245029.tif 000020
【図１９】
2004245029.tif 000021
【図２０】
2004245029.tif 000022
【図２１】
2004245029.tif 000023
【図２２】
2004245029.tif 000024
【図２３】
2004245029.tif 000025
【図２４】
2004245029.tif 000026
【図２５】
2004245029.tif 000027
【図２６】
2004245029.tif 000028